(57)【要約】【課題】回転筒内の固定軸を支点として回転筒を駆動する複数の回転筒駆動装置を容易に連結可能とした連結装置を提供する。【解決手段】回転筒内に設けられ、該回転筒と一体に回転する回転体と、該回転体の回転中心に位置する固定軸とを備えた第一及び第二の回転筒駆動装置を連結する回転筒駆動装置の連結装置において、第一の回転筒駆動装置１０ａの固定軸１５の端部に外形を結ぶ線が角軸となる二股状の嵌合片２４を設け、両端に角孔２７を開口した連結筒２６の一方の角孔に嵌合片２４を弾性的に嵌合し、連結筒２６の他方の角孔に第二の回転筒駆動装置１１ａの固定軸２９を嵌合するとともに、該第二の回転筒駆動装置１１ａの固定軸２９で嵌合片２４を連結筒２６への係合位置に保持した。【選択図】図３
0003170390.tif 000002
【実用新案登録請求の範囲】
【請求項１】
回転筒内に設けられ、該回転筒と一体に回転する回転体と、該回転体の回転中心に位置する固定軸とを備えた第一及び第二の回転筒駆動装置を連結する連結装置において、
前記第一の回転筒駆動装置の固定軸の端部に、外形を結ぶ線が角軸となる二股状の嵌合片を設け、両端に角孔を開口した連結筒の一方の角孔に前記嵌合片を弾性的にかつ回転不能に嵌合し、前記連結筒の他方の角孔に前記第二の回転筒駆動装置の固定軸を回転不能に嵌合するとともに、該第二の回転筒駆動装置の固定軸で前記嵌合片を前記連結筒への係合位置に保持したことを特徴とする連結装置。
【請求項２】
巻取軸内に設けられる固定軸に対しストッパー装置を連結する連結装置において、
前記固定軸の端部に外形を結ぶ線が角軸となる二股状の嵌合片を設け、両端に角孔を開口した連結筒の一方の角孔に前記嵌合片を弾性的にかつ回転不能に嵌合し、前記連結筒の他方の角孔に前記ストッパー装置のドラムから突出される嵌合軸を回転不能に嵌合するとともに、該嵌合軸で前記嵌合片を前記連結筒への係合位置に保持したことを特徴とする連結装置。
【請求項３】
前記巻取軸内に設けられるスプリングモーターに挿通される支持筒の端部に前記嵌合片を備えた連結軸を取着したことを特徴とする請求項２記載の連結装置。
【請求項４】
前記ストッパー装置にガバナー装置を連結したことを特徴とする請求項３記載の連結装置。
【請求項５】
前記ストッパー装置にソフトフィニッシュ装置とガバナー装置を連結したことを特徴とする請求項３記載の連結装置。
【請求項６】
前記嵌合片の先端を鏃状に形成し、前記連結筒の長手方向中央部に前記嵌合片の先端を弾性的に嵌合可能とした係止孔を設けたことを特徴とする請求項２記載の連結装置。
【請求項７】
前記連結筒を、軸方向に線対称状に形成したことを特徴とする請求項６記載の連結装置。
【請求項８】
前記連結筒の一端に、前記嵌合片の挿入を阻止する突部を設け、前記連結筒の長手方向中央部から外れた位置に、前記連結筒の他端から挿入した嵌合片に係合する係止孔を設けたことを特徴とする請求項６記載の連結装置。
【請求項９】
前記スプリングモーターのドライブプラグに前記係止孔を目視可能とした開口部を設けたことを特徴とする請求項６又は８記載の連結装置。
【考案の詳細な説明】
【技術分野】
【０００１】
この考案は、回転筒内に設けられ、該回転筒を回転駆動する回転筒駆動装置を連結する連結装置に関するものである。
【背景技術】
【０００２】
ロールブラインドは、支持ブラケット間に回転可能に支持された巻取軸からスクリーンが吊下支持され、操作装置の操作により巻取軸が回転駆動されて、スクリーンが昇降される。
【０００３】
巻取軸内には、スクリーンを引き上げ操作するためのスプリングモーター、スプリングモーターの付勢力に抗してスクリーンを所望高さに保持するストッパー装置、スクリーンの引き上げ速度を制限するガバナー装置等が配設されている。
【０００４】
特許文献１には、巻取軸内にスプリングモーター、ストッパー装置、ガバナー装置等を備えたロールブラインドが開示されている。
このようなロールブラインドでは、巻取軸の一端側において、操作ユニットから突出されるホールドシャフトを支点としてストッパー装置及びガバナー装置が動作する。
【０００５】
また、スプリングモーターの一端は巻取軸の他端側の支持ブラケットに対し保持され、他端はドライブプラグを介して巻取軸に保持される。そして、スクリーンの下降操作時にスプリングモーターが蓄勢され、引き上げ操作時にはスプリングモーターの付勢力が巻取軸に対しスクリーンの巻取り方向に作用する。
【先行技術文献】
【特許文献】
【０００６】
【特許文献１】特許３２８２９８１号公報
【考案の概要】
【考案が解決しようとする課題】
【０００７】
上記のようなロールブラインドでは、操作ユニットにストッパー装置及びガバナー装置を連結するために複数の部品が必要となる。すなわち、ホールドシャフトとストッパー装置のクラッチドラムを連結するシャフトジョイントと、操作ユニットのケースとストッパー装置の外部筒とを連結するジョイントケースと、操作ユニット内の構成部品のホールドシャフトからの抜けを防止するＥリング等が必要となって、部品点数が増大する。
【０００８】
この考案の目的は、回転筒内の固定軸を支点として回転筒を駆動する複数の回転筒駆動装置を容易に連結可能とした連結装置を提供することにある。
【課題を解決するための手段】
【０００９】
請求項１では、回転筒内に設けられ、該回転筒と一体に回転する回転体と、該回転体の回転中心に位置する固定軸とを備えた第一及び第二の回転筒駆動装置を連結する連結装置において、前記第一の回転筒駆動装置の固定軸の端部に、外形を結ぶ線が角軸となる二股状の嵌合片を設け、両端に角孔を開口した連結筒の一方の角孔に前記嵌合片を弾性的にかつ回転不能に嵌合し、前記連結筒の他方の角孔に前記第二の回転筒駆動装置の固定軸を回転不能に嵌合するとともに、該第二の回転筒駆動装置の固定軸で前記嵌合片を前記連結筒への係合位置に保持した。
【００１０】
請求項２では、巻取軸内に設けられる固定軸に対しストッパー装置を連結する連結装置において、前記固定軸の端部に外形を結ぶ線が角軸となる二股状の嵌合片を設け、両端に角孔を開口した連結筒の一方の角孔に前記嵌合片を弾性的にかつ回転不能に嵌合し、前記連結筒の他方の角孔に前記ストッパー装置のドラムから突出される嵌合軸を回転不能に嵌合するとともに、該嵌合軸で前記嵌合片を前記連結筒への係合位置に保持した。
【００１１】
請求項３では、前記巻取軸内に設けられるスプリングモーターに挿通される支持筒の端部に前記嵌合片を備えた連結軸を取着した。
請求項４では、前記ストッパー装置にガバナー装置を連結した。
【００１２】
請求項５では、前記ストッパー装置にソフトフィニッシュ装置とガバナー装置を連結した。
請求項６では、前記嵌合片の先端を鏃状に形成し、前記連結筒の長手方向中央部に前記嵌合片の先端を弾性的に嵌合可能とした係止孔を設けたことを特徴とする請求項２記載の連結装置。
【００１３】
請求項７では、前記連結筒を、軸方向に線対称状に形成した。
請求項８では、前記連結筒の一端に、前記嵌合片の挿入を阻止する突部を設け、前記連結筒の長手方向中央部から外れた位置に、前記連結筒の他端から挿入した嵌合片に係合する係止孔を設けた。
【００１４】
請求項９では、前記スプリングモーターのドライブプラグに前記係止孔を目視可能とした開口部を設けた。
【考案の効果】
【００１５】
本考案によれば、回転筒内の固定軸を支点として回転筒を駆動する複数の回転筒駆動装置を容易に連結可能とした連結装置を提供することができる。
【図面の簡単な説明】
【００１６】
【図１】第一の実施形態のロールブラインドを示す正面図である。
【図２】第一の実施形態のロールブラインドを示す側面図である。
【図３】連結装置を示す断面図である。
【図４】連結装置を示す斜視図である。
【図５】連結装置を示す分解斜視図である。
【図６】連結装置の組立て手順を示す断面図である。
【図７】連結装置の組立て手順を示す断面図である。
【図８】連結装置の組立て手順を示す断面図である。
【図９】連結装置の組立て手順を示す断面図である。
【図１０】連結装置の組立て手順を示す断面図である。
【図１１】連結装置の組立て手順を示す断面図である。
【図１２】第二の実施形態を示す正面図である。
【図１３】第二の実施形態の連結装置を示す断面図である。
【図１４】第二の実施形態の連結筒を示す側面図である。
【図１５】第二の実施形態の連結筒を示す側面図である。
【図１６】第三の実施形態を示す正面図である。
【考案を実施するための形態】
【００１７】
以下、この考案を具体化した一実施形態を図面に従って説明する。図１及び図２に示すロールブラインドは、２本の巻取軸から垂下されるスクリーンを、ボールチェーンの操作によりそれぞれ独立して昇降可能としたダブルロールブラインドを示す。
【００１８】
取付ブラケット１を介して取付面に固定されるフレーム２の両端に支持ブラケット３と操作装置７が取着され、その支持ブラケット３と操作装置７との間に２本の巻取軸４ａ，４ｂが回転可能に支持されている。
【００１９】
前記巻取軸４ａ，４ｂは、上下方向に一定の間隔を隔て、かつ前後方向に若干ずれた位置で支持され、上方に位置する巻取軸４ａが下方に位置する巻取軸４ｂより室内側に位置している。
【００２０】
前記巻取軸４ａ，４ｂからスクリーン５ａ，５ｂがそれぞれ垂下され、そのスクリーン５ａ，５ｂの下端にボトムレール６ａ，６ｂがそれぞれ吊下支持されている。
また、前記スクリーン５ａは巻取軸４ａから室内側に垂下され、前記スクリーン５ｂは巻取軸４ｂから室外側に垂下されている。従って、スクリーン５ａ，５ｂを昇降する際の巻取軸４ａ，４ｂの回転方向は互いに逆方向となる。
【００２１】
前記操作装置７から無端状のボールチェーン８が垂下され、そのボールチェーン８の操作により操作装置７及び各巻取軸４ａ，４ｂの一端部に内蔵されるクラッチ装置９ａ，９ｂを介して巻取軸４ａ，４ｂが回転される。
【００２２】
前記巻取軸４ａ，４ｂ内には、スプリングモーター１０ａ，１０ｂとストッパー装置１１ａ，１１ｂ及びガバナー装置３８ａ，３８ｂが、スクリーン５ａ，５ｂの引き上げ動作を自動的に行う自動引き上げ装置としてそれぞれ配設されている。
【００２３】
その自動引き上げ装置を具体的に説明すると、前記スプリングモーター１０ａ，１０ｂは、捩じりコイルスプリング１２の基端側が前記支持ブラケット３に固定されたプラグキャップ１３に固定され、先端側は前記巻取軸４ａ，４ｂの中間部で巻取軸４ａ，４ｂの内周面に嵌合して同巻取軸４ａ，４ｂと一体に回転するドライブプラグ１４に取着されている。
【００２４】
そして、巻取軸４ａ，４ｂがスクリーン５ａ，５ｂの巻き戻し方向に回転されると、各巻取軸４ａ，４ｂ内の捩じりコイルスプリング１２が蓄勢される。
前記捩じりコイルスプリング１２内には基端側が前記プラグキャップ１３に固定された支持筒１５が配設され、その支持筒１５の先端部に前記ストッパー装置１１ａ，１１ｂが取着されている。
【００２５】
ストッパー装置１１ａ，１１ｂは、前記支持筒１５に連結されて回転不能に支持されるドラム１６と、そのドラム１６の周囲で前記巻取軸と一体に回転するキャップ１７を備え、次に示す公知の機能を備えている。
【００２６】
すなわち、前記スクリーン５ａ，５ｂが下降操作されてボールチェーン８を手放したとき、前記スプリングモーター１０ａ，１０ｂの付勢力によるスクリーン５ａ，５ｂの引き上げ動作を阻止する。また、この状態からボールチェーン８を僅かに下方へ引いたとき、ストッパー動作が解除されて、スプリングモーター１０ａ，１０ｂの付勢力により、巻取軸４ａ，４ｂがスクリーン巻取り方向に回転されて、スクリーン５ａ，５ｂが引き上げられる。
【００２７】
前記ストッパー装置１１ａ，１１ｂにはガバナー装置３８ａ，３８ｂが連結されている。前記ガバナー装置３８ａ，３８ｂは、ケース１８の中央部から突出する固定軸１９がストッパー装置１１ａ，１１ｂのドラム１６に嵌合して回転不能に支持され、ケース１８は前記ストッパー装置１１ａ，１１ｂのキャップ１７に取着されて、同キャップ１７と一体に回転する。
【００２８】
そして、スクリーン５ａ，５ｂの引き上げ操作時に巻取軸４ａ，４ｂの回転速度を一定速度以下に抑制する機能を備えている。
上記のように構成されたロールブラインドでは、ボールチェーン８の一方、例えば室内側に垂下されるボールチェーン８を下方へ引くと、操作装置７及びクラッチ装置９ａを介して巻取軸４ａがスクリーン５ａの巻き戻し方向に回転されて、室内側のスクリーン５ａが下降する。そして、ボールチェーン８を手放すと、ストッパー装置１１ａが作動してスクリーン５ａが当該下降位置に保持される。
【００２９】
この状態から、室内側に垂下されるボールチェーン８を下方へ僅かに引くと、ストッパー装置１１ａの作動が解除されて、スプリングモーター１０ａの付勢力により巻取軸４ａがスクリーン巻取り方向に回転され、スクリーン５ａが引き上げられる。
【００３０】
また、室外側に垂下されるボールチェーン８を下方へ引くと、操作装置７及びクラッチ装置９ｂを介して巻取軸４ｂがスクリーン５ｂの巻き戻し方向に回転されて、室外側のスクリーン５ｂが下降する。そして、ボールチェーン８を手放すと、ストッパー装置１１ｂが作動してスクリーン５ｂが当該下降位置に保持される。
【００３１】
この状態から、室内側に垂下されるボールチェーン８を下方へ僅かに引くと、ストッパー装置１１ｂの作動が解除されて、スプリングモーター１０ｂの付勢力により巻取軸４ｂがスクリーン巻取り方向に回転され、スクリーン５ｂが引き上げられる。
【００３２】
上記のように、各巻取軸４ａ，４ｂ内に配設される自動引き上げ装置は、スプリングモーター１０ａ，１０ｂを構成する捩じりコイルスプリング１２の蓄勢方向と、ストッパー装置１１ａ，１１ｂの作動方向が逆転すること以外は、同様に動作する。
【００３３】
なお、前記クラッチ装置９ａ，９ｂは、ボールチェーン８の操作に基づく回転トルクを巻取軸４ａ，４ｂに伝達し、スプリングモーター１０ａ，１０ｂの付勢力による巻取軸４ａ，４ｂの回転は、ボールチェーン８には伝達しない。
【００３４】
次に、前記巻取軸４ａ，４ｂ内でスプリングモーター１０ａ，１０ｂとストッパー装置１１ａ，１１ｂとを連結する連結装置の具体的構成を説明する。巻取軸４ａ，４ｂ内の各連結装置は同一構成であるので、巻取軸４ａ内の連結装置について説明する。
【００３５】
図３〜図５に示すように、合成樹脂でほぼ円筒状に形成される前記ドライブプラグ１４の軸方向中間部には、前記巻取軸４ａの内周面に係合するフランジ部２０が形成されている。
【００３６】
前記ドライブプラグ１４の基端側外周面には、前記捩じりコイルスプリング１２の一端部を係止可能とした係止部２１がドライブプラグ１４の中心に対し線対称状に２箇所形成されている。そして、図３に示すように、捩じりコイルスプリング１２の一端部が係止部２１に保持され、捩じりコイルスプリング１２の他端部は前記プラグキャップ１３を介して支持ブラケット３に保持されている。
【００３７】
従って、巻取軸４ａがスクリーン５ａの巻き戻し方向に回転されると、ドライブプラグ１４が回転して捩じりコイルスプリング１２が蓄勢される。
前記捩じりコイルスプリング１２に挿通される支持筒１５の端部には連結軸２２の基端部が嵌着され、その連結軸２２の中間部が前記ドライブプラグ１４の軸方向中間部に形成された軸受部２３に相対回転可能に挿通されている。従って、支持筒１５に回転不能に嵌着されている連結軸２２の周囲を、ドライブプラグ１４が巻取軸４ａと一体に回転する。
【００３８】
前記連結軸２２の先端部には前記ドライブプラグ１４の先端部に向かって突出する二股状の嵌合片２４が形成され、その嵌合片２４の先端は返し部２５を備えた断面鏃状に形成されている。また、両嵌合片２４はその外形を結ぶ線がほぼ四角形となるように形成されている。
【００３９】
前記ドライブプラグ１４の先端部内で、前記連結軸２２の嵌合片２４には連結筒２６の一端が嵌着される。前記連結筒２６は合成樹脂でその長手方向に線対称状となる筒状に形成され、長手方向両端部には前記嵌合片２４を嵌挿可能とした断面ほぼ四角形状の嵌合孔２７が開口されている。
【００４０】
前記嵌合孔２７は、前記連結筒２６の長手方向中間部において、径方向に線対称状に延びる係止孔２８で連結筒２６の外周面に連通されている。そして、前記嵌合片２４を連結筒２６の一方から嵌合孔２７に挿入すると、嵌合片２４が互いに近づく方向に撓みながら嵌合孔２７内に侵入し、返し部２５が係止孔２８に達すると、連結筒２６が嵌合片２４に回転不能に嵌合されるとともに、返し部２５が係止孔２８に係合して容易には抜けないようになっている。
【００４１】
前記ストッパー装置１１ａのドラム１６の基端側には、前記連結筒２６の嵌合孔２７に嵌挿可能とした四角軸状の嵌合軸２９が形成されている。そして、嵌合軸２９を嵌合孔２７に嵌挿すると、ドラム１６が連結筒２６に回転不能に保持される。
【００４２】
このとき、図３に示すように、嵌合軸２９の先端は前記嵌合片２４間に嵌挿される。このような構成により、嵌合片２４の先端部の互いに近づく方向への撓みが阻止されて、嵌合片２４の嵌合孔２７からの抜けが阻止される。
【００４３】
前記ストッパー装置１１ａのキャップ１７には、前記嵌合軸２９の周囲に延びる筒部３０が形成され、その筒部３０の外周面には係止突部３１が筒部３０の中心に対し線対称状に２箇所形成されている。また、係止突部３１の前記ドラム１６側の側面には、突起３２が周方向中央に設けられている。
【００４４】
前記ドライブプラグ１４には、図４に示すように、前記嵌合片２４を嵌合した連結筒２６の係止孔２８を目視可能とするように、開口部が形成されている。
前記ドライブプラグ１４の先端には、前記筒部３０を挿通可能とする径の開口部３３が形成され、その開口部３３には前記係止突部３１を開口部３３内に挿入可能とする凹部３４が形成されている。また、開口部３３の周囲に位置するリブ３５の内側面には、前記凹部３４から所定間隔を隔てた位置に前記突起３２に係合する係止溝３６が形成されている。
【００４５】
そして、凹部３４に対し係止突部３１を位置合わせしながら、係止突部３１とともに筒部３０をドライブプラグ１４内に挿入し、係止突部３１がリブ３５内まで挿入された状態で、係止突部３１の突起３２がリブ３５の係止溝３６に近づく方向にキャップ１７をドライブプラグ１４に対し約５０度回動させる。
【００４６】
すると、突起３２が係止溝３６に係合して、キャップ１７がドライブプラグ１４に対し容易には回動しないように保持される。
前記キャップ１７の先端部には、前記巻取軸４ａの内周面に係合するリブ３７が形成され、そのリブ３７には前記ガバナー装置３８ａのケース１８を相対回転不能に取付けるための取付孔３９が形成されている。
【００４７】
そして、図１に示すように、キャップ１７にガバナー装置３８ａのケース１８が固定されて、キャップ１７とガバナー装置３８ａのケース１８が一体に回転するようになっている。また、ガバナー装置３８ａの入力軸４０がストッパー装置１１ａのドラム１６に回転不能に嵌着されている。
【００４８】
次に、上記のように構成された連結装置の作用を巻取軸４ａについて説明する。
スプリングモーター１０ａにストッパー装置１１ａを取着するには、支持ブラケット３にプラグキャップ１３と、支持筒１５と、捩じりコイルスプリング１２及びドライブプラグ１４を取着し、図６に示すように、ドライブプラグ１４に連結軸２２を嵌挿する。
【００４９】
次いで、図７に示すように、連結軸２２の嵌合片２４を連結筒２６の一方の嵌合孔２７に嵌合し、次いでストッパー装置１１ａの嵌合軸２９を連結筒２６の他方の嵌合孔２７に挿入しながら、図８及び図９に示すように、筒部３０及び係止突部３１をドライブプラグ１４内に進入させる。
【００５０】
そして、図１０に示す状態からストッパー装置１１ａ及びドライブプラグ１４が巻取軸４ａの外にある状態で、ストッパー装置１１ａのキャップ１７を約５０度回転させると、図１１に示すように、係止突部３１の突起３２とドライブプラグ１４の係止溝３６とが係合する。すると、ストッパー装置１１ａのドラム１６は連結筒２６を介して連結軸２２に保持される。
【００５１】
次いで、ストッパー装置１１ａの先端側にガバナー装置３８ａを取着すると、自動引き上げ装置の組み立てが完了する。そして、図１に示すように、ドライブプラグ１４を巻取軸４ａの内周面に形成されたリブに係合させながら自動引き上げ装置を巻取軸４ａ内に挿入し、プラグキャップ１３を巻取軸４ａの端部に嵌着すると、自動引き上げ装置の巻取軸４ａへの組み付けが完了する。
【００５２】
上記のように構成されたロールブラインドでは、次に示す効果を得ることができる。
（１）スプリングモーター１０ａ，１０ｂに対し連結筒２６を介してストッパー装置１１ａ，１１ｂ及びガバナー装置３８ａ，３８ｂを取着することができる。
（２）スプリングモーター１０ａ，１０ｂの支持筒１５に回転不能に取着された連結軸２２に連結筒２６が回転不能に取着され、その連結筒２６にストッパー装置１１ａ，１１ｂのドラム１６の嵌合軸２９を回転不能に取着したので、スプリングモーター１０ａ，１０ｂの支持筒１５にストッパー装置１１ａのドラム１６を回転不能に支持することができる。
（３）連結軸２２の先端部に形成した二股状の嵌合片２４を連結筒２６の嵌合孔２７に弾性的に嵌合することにより、連結軸２２を連結筒２６に容易に取着することができる、
（４）一対の嵌合片２４の外形を結ぶ線をほぼ四角形とし、連結筒２６の嵌合孔２７を四角孔とすることにより、連結軸２２に対し連結筒２６を回転不能に支持することができる。
（５）ストッパー装置１１ａ，１１ｂのドラム１６の四角軸状の嵌合軸２９を連結筒２６の嵌合孔２７に嵌合することにより、ドラム１６を回転不能に保持することができる。
（６）連結筒２６を線対称状に形成したので、連結軸２２及びドラム１６に対する連結筒２６の取付方向が限定されない。従って、連結軸２２に連結筒２６を介してドラム１６を取着する取付作業を容易に行うことができる。
（７）ドライブプラグ１４にストッパー装置１１ａ，１１ｂのキャップが連結されているので、スプリングモーター１０ａ，１０ｂを巻取軸４ａ，４ｂから引き抜いても、捩じりコイルスプリング１２の付勢力によるドライブプラグ１４の回転をストッパー装置１１ａ，１１ｂで阻止することができる。従って、スクリーン５ａ，５ｂを下降させた状態でも、スプリングモーター１０ａ，１０ｂを巻取軸４ａ，４ｂから引き抜いて、ガバナー装置３８ａ，３８ｂの交換を容易に行うことができる。また、ガバナー装置３８ａ，３８ｂの交換終了後は、スクリーン５ａ，５ｂの吊下げ高さに応じたスプリングモーター１０ａ，１０ｂの蓄勢力を確保したまま、巻取軸４ａ，４ｂ内に収容することができる。
（８）スプリングモーター１０ａ，１０ｂを巻取軸４ａ，４ｂから引き抜くと、ストッパー装置１１ａ，１１ｂとガバナー装置３８ａ，３８も巻取軸４ａ，４ｂから引き抜かれる。従って、ストッパー装置１１ａ，１１ｂとガバナー装置３８ａ，３８の交換を容易に行うことができる。
（９）ストッパー装置１１ａ，１１ｂの嵌合軸２９を連結軸２２の嵌合片２４間に嵌挿して、嵌合片２４の先端部の互いに近づく方向への撓みを阻止することができる。従って、嵌合片２４の嵌合孔２７からの抜けを阻止することができる。
（１０）特許文献１に示すようにストッパー装置のドラムを操作ユニットのホールドシャフトに回転不能に保持する場合にも、ドラムの嵌合軸が四角軸状に形成される。この実施形態では、このような嵌合軸の形状を変更することなく、連結筒２６を介してドラム１６をスプリングモーター１０ａ，１０ｂの先端部に対し回転不能に連結することができる。
（１１）ストッパー装置１１ａ，１１ｂのキャップ１７の筒部３０をドライブプラグ１４に嵌挿して約５０度回転させることにより、突起３２を係止溝３６に係合させて、キャップ１７をドライブプラグ１４に保持することができる。
（第二の実施形態）
図１２及び図１３は、第二の実施形態を示す。この実施形態は、プルコードの操作により２枚のスクリーンを独立して昇降可能としたダブルロールブラインドを示す。前記第一の実施形態と同一構成及び同一機能を備える部分は、同一符号を付して詳細な説明を省略する。
【００５３】
ボトムレール６ａ，６ｂの長手方向中間部には、プルコード４１ａ，４１ｂが吊下支持されている。そし、プルコード４１ａ，４１ｂを下方へ引くと、巻取軸４ａ，４ｂからスクリーン５ａ，５ｂが巻戻されて、スクリーン５ａ，５ｂが下降する。このとき、各巻取軸４ａ，４ｂ内のスプリングモーター１０ａ，１０ｂが蓄勢される。
【００５４】
スクリーン５ａ，５ｂを所望高さまで引き下げた後、プルコード４１ａ，４１ｂを手放すと、各巻取軸４ａ，４ｂ内のストッパー装置１１ａ，１１ｂが作動して、各スクリーン５ａ，５ｂが当該高さに保持される。
【００５５】
この状態から、プルコード４１ａ，４１ｂを僅かに下方へ引いて手放すと、ストッパー装置１１ａ，１１ｂの作動が解除されスプリングモーター１０ａ，１０ｂの付勢力により巻取軸４ａ，４ｂがスクリーン巻取り方向に回転され、スクリーン５ａ，５ｂが引き上げられる。
【００５６】
前記巻取軸４ａ内のスプリングモーター１０ａは、その基端部が巻取軸４ａの右端側の支持ブラケット３ａに保持され、その先端部に連結筒４２を介してストッパー装置１１ａ及びガバナー装置３８ａが支持される。
【００５７】
また、前記巻取軸４ｂ内のスプリングモーター１０ｂは、その基端部が巻取軸４ｂの左端側の支持ブラケット３ｂに保持され、その先端部に連結筒４２を介してストッパー装置１１ｂ及びガバナー装置３８ｂが支持される。
【００５８】
巻取軸４ａ，４ｂでは、第一の実施形態と同様に、スクリーン５ａ，５ｂの巻取り方向が逆方向となるので、このようにスプリングモーター１０ａ，１０ｂの基端部を巻取軸４ａ，４ｂで逆方向とすると、同一構成のストッパー装置を逆方向に使用してストッパー装置１１ａ，１１ｂとすることが可能となる。
【００５９】
各スプリングモーター１０ａ，１０ｂにおいて、その先端部に連結筒４２を介してストッパー装置１１ａ，１１ｂを取着する構成は同様であるので、その構成をスプリングモーター１０ａについて説明する。
【００６０】
前記連結筒４２は、図１３に示すように、第一の実施形態の連結筒２６とは異なり、長手方向に線対称状ではない。そして、連結筒４２の一方の嵌合孔４３ａに、スプリングモーター１０ａの支持筒１５に嵌着された連結軸２２の嵌合片２４が第一の実施形態と同様な構成で回転不能に嵌着されている。
【００６１】
前記連結筒２６の他方の嵌合孔４３ｂには、ストッパー装置１１ａのドラム１６から延びる四角軸状の嵌合軸４４が回転不能に挿通され、その嵌合軸４４の先端は前記嵌合片２４間に嵌挿されている。このような構成により、ドラム１６が回転不能に保持されるとともに、嵌合片２４の先端部の互いに近づく方向への撓みが阻止されて、嵌合片２４の嵌合孔４３ａからの抜けが阻止される。
【００６２】
前記嵌合軸４４は、前記嵌合片２４間に嵌挿可能とした径に形成されるため、嵌合孔４３ｂの径は嵌合片２４を嵌合する嵌合孔４３ａより小さい径で形成されている。
ストッパー装置１１ａのキャップ１７は、前記第一の実施形態と同様に、筒部３０に設けられた係止突部３１がドライブプラグ１４のリブ３５に係合してドライブプラグ１４に保持される。また、ドラム１６に形成された係止片４５がキャップ１７の内周面に弾性的に係合して、ドラム１６とキャップ１７とが軸方向にずれないように保持されている。
【００６３】
前記キャップ１７の先端側には、前記第一の実施形態と同様にガバナー装置３８ａが取着されている。また、前記キャップ１７の先端側に設けられたリブ３７が前記巻取軸４ａの内周面に係合して、キャップ１７は巻取軸４ａと一体に回転する。
【００６４】
上記のような連結筒４２を使用することにより、スプリングモーター１０ａ，１０ｂの先端部にストッパー装置１１ａ，１１ｂとガバナー装置３８ａ，３８ｂを取着することができるので、第一の実施形態で得られた（１）〜（５）の作用効果と同様な作用効果を得ることができる。
【００６５】
また、連結軸２２の嵌合片２４を間違って嵌合孔４３ｂ側に挿入しようとすると、嵌合孔４３ｂの内周面に形成された突部６１により嵌合片２４を嵌合することができない。
例えば、図１４において、嵌合孔４３ｂに対し嵌合片２４を鎖線で示す方向に挿入しようとすると、突部６１に嵌合片２４の先端が当接して挿入できない。
【００６６】
また、嵌合孔４３ｂに対し嵌合片２４を図１５に示す方向に挿入しようとすると、僅かに挿入することはできるが、返し部２５が嵌合孔４３ｂの内周面に当接して嵌合片２４が互いに近づく方向へ撓もうとしても、その撓みが突部６１により阻止されて、それ以上挿入することはできない。
【００６７】
従って、嵌合片２４を嵌合孔４３ｂに挿入することはできないので、嵌合片２４を嵌合孔４３ａに間違いなく嵌合することができる。
（第三の実施形態）
図１６は、第三の実施形態を示す。この実施形態は、第一及び第二の実施形態で示すダブルロールブラインドにおいて、前記スプリングモーター１０ａ，１０ｂの先端側に、前記ストッパー装置１１ａ，１１ｂとガバナー装置３８ａ，３８ｂに加えて、ソフトフィニッシュ装置を連結する構成としたものである。前記実施形態と同一構成部分は、同一符号を付して詳細な説明を省略する。
【００６８】
ソフトフィニッシュ装置は、スプリングモーター１０ａ，１０ｂの付勢力に基づいてスクリーン５ａ，５ｂが引き上げられるとき、スクリーン５ａ，５ｂが上限近傍まで引き上げられた後は、スクリーン５ａ，５ｂの引き上げ速度を低下させて、ボトムレール６ａ，６ｂとフレーム２との衝突による騒音を防止するものである。
【００６９】
図１４は、ストッパー装置１１ａにソフトフィニッシュ装置５１とガバナー装置３８ａを連結したユニットを示す。
ソフトフィニッシュ装置５１は、ギヤユニット５２から突出されるネジ軸５３の先端がストッパー装置１１ａのドラム１６に嵌合されて回転不能に支持されている。ネジ軸５３には巻取軸４ａと一体に回転する回転部材５４が螺合され、巻取軸４ａがスクリーン５ａの巻取り方向に回転されると、回転部材５４がギヤユニット５２に向かって移動する。
【００７０】
前記回転部材５４の前記ギヤユニット５２側の側面には係止突起５５が設けられ、ギヤユニット５２の入力体５６には係止突起５５に係合する係止突起５７が形成されている。
前記入力体５６は前記ギヤユニット５２に対し回転可能に支持されている。そして、入力体５６の回転はギヤユニット５２内の例えば遊星ギヤ等のギヤ機構に伝達され、そのギヤ機構の回転抵抗により入力体５６の回転が制動されるようになっている。
【００７１】
そして、スクリーン５ａが上限近傍まで引き上げられると、回転部材５４の係止突起５５が入力体５６の係止突起５７に係合し、巻取軸４ａの回転が制動されてスクリーン５ａがゆっくりと引き上げられる。
【００７２】
前記ネジ軸５３は、前記ギヤユニット５２の中心部を貫通し、その先端部に前記ガバナー装置３８ａの固定軸１９が回転不能に嵌合されている。
このように、ソフトフィニッシュ装置５１とガバナー装置３８ａが連結されたストッパー装置１１ａの嵌合軸２９を第一の実施形態に示すように、連結筒２６を介してスプリングモーター１０ａの先端部に連結すると、ソフトフィニッシュ装置５１を備えた自動引き上げ装置をスプリングモーター１０ａに取着することができる。
【００７３】
また、スプリングモーター１０ａを巻取軸４ａから引き抜けば、ストッパー装置１１ａ，ソフトフィニッシュ装置５１あるいはガバナー装置３８ａの交換を容易に行うことができる。
【００７４】
上記実施形態は、以下の態様で実施してもよい。
・ダブルロールブラインド以外に、巻取軸が１本のロールブラインドでも同様に実施することができる。
・第一及び第二の実施形態のガバナー装置３８ａ，３８ｂを、連結筒を介して直接にスプリングモーターに連結する構成としてもよい。
・第一及び第二の実施形態のクラッチ装置の固定軸に対し連結筒を介してストッパー装置を連結してもよい。
・ストッパー装置を、スクリーンの引き上げ上限位置で巻取軸のスクリーン巻取り方向の回転を停止させる上限リミット装置としてもよい。
・ガバナー装置は、固定軸と回転筒を備えていればどのような形式にでも適用できる。固定軸に対する回転筒への回転抵抗付与手段としては、遠心力により抵抗体が開く機械式やゴム式、翼に対し粘性抵抗を付与するオイル式でもよい。
・上記実施形態で四角軸状及び四角孔とした固定軸の端部（二股状の嵌合片）及び連結筒の角孔は、四角形以外の多角形としてもよい。
【符号の説明】
【００７５】
４ａ，４ｂ…回転筒（巻取軸）、１０ａ，１０ｂ…第一の回転筒駆動装置（スプリングモーター）、１１ａ，１１ｂ…第二の回転筒駆動装置（ストッパー装置）、１５…固定軸（支持筒）、１７…回転体（キャップ）、２４…嵌合片、２６…連結筒、２７…角孔（嵌合孔）、２９…固定軸（嵌合軸）。
【図３】
0003170390.tif 000003
【図４】
0003170390.tif 000004
【図５】
0003170390.tif 000005
【図６】
0003170390.tif 000006
【図７】
0003170390.tif 000007
【図８】
0003170390.tif 000008
【図９】
0003170390.tif 000009
【図１０】
0003170390.tif 000010
【図１１】
0003170390.tif 000011
【図１４】
0003170390.tif 000012
【図１５】
0003170390.tif 000013
【図１】
0003170390.tif 000014
【図２】
0003170390.tif 000015
【図１２】
0003170390.tif 000016
【図１３】
0003170390.tif 000017
【図１６】
0003170390.tif 000018